(57)【特許請求の範囲】
【請求項１】
自立した柱の軸部に腕部が支持されており、その腕部に沿ってガイド部材が取り付けられており、
このガイド部材に線材を支持し、この線材の両端部にはフックが取り付けられており、かつ、線材の本体には三角形状の先端部位を有するクリップ形式のストッパーが取り付けられており、
前記ガイド部材は前記腕部の側壁部に取り付けることができ、腕部の底面にはストッパーの三角形状の先端部位に対応するテーパ状の線材孔があり、前記線材がこの線材孔を通って垂れ下がっており、
前記フックに物を掛けると一方が下がり、もう一方のフックは上に上がって高さに差を生み出すことができ、かつ、前記ストッパーが線材をバネでクリップ形式にはさみ込んだ状態で、そのストッパーの先端部位がテーパ状の線材孔に入ることにより、ストッパーの先端部位の外側面が線材孔の内側に押さえ付けられて、線材がより強く締め付けられて固定されることによってフックの高さを調整することも可能にすることを特徴とする吊下げ具。
【発明の詳細な説明】
【技術分野】
【０００１】  本発明は、物を掛けた際に自由なフックの高さで線材を固定して高さに差を生み、物の取り外しを容易に行うことができる吊下げ具に関する。
【背景技術】
【０００２】  吊下げ具は日常生活の中で、バッグやハンガーなどを掛けるのに広く用いられている。限られたスペースで同じ高さに物を掛ける吊下げ具は、物を取り外しする際に隣接する他の物と接触し、作業が妨げられるため、特許文献１または２のような、掛かっている物同士が接触しないような吊下げ具が知られている。
【先行技術文献】
【特許文献】
【０００３】
【特許文献１】実開平２−１１１３７０号公報
【特許文献２】実開昭５６−９８０７５号公報
【発明の概要】
【発明が解決しようとする課題】
【０００４】  本発明は、吊下げ具のフックの高さを自由に変えることにより、吊下げ具に掛かる物同士の接触を避け、物の取り外しを容易に行うことができるという優れた特徴を有する吊下げ具を提供することを課題とする。
【課題を解決するための手段】
【０００５】  本発明に係る吊下げ具は、自立した柱１の軸部１２に腕部１１が支持されており、その腕部１１に沿ってガイド部材２が取り付けられており、
このガイド部材２に線材４を支持し、この線材４の両端部にはフック５が取り付けられており、かつ、線材４の本体には三角形状の先端部位を有するクリップ形式のストッパー３が取り付けられており、
前記ガイド部材２は前記腕部１１の側壁部１１１に取り付けることができ、腕部１１の底面１１２にはストッパー３の三角形状の先端部位に対応するテーパ状の線材孔１１２ａがあり、前記線材４がこの線材孔１１２ａを通って垂れ下がっており、
前記フック５に物を掛けると一方が下がり、もう一方のフック５は上に上がって高さに差を生み出すことができ、かつ、前記ストッパー３が線材４をバネでクリップ形式にはさみ込んだ状態で、そのストッパー３の先端部位がテーパ状の線材孔１１２ａに入ることにより、ストッパー３の先端部位の外側面が線材孔１１２ａの内側に押さえ付けられて、線材４がより強く締め付けられて固定されることによってフック５の高さを調整することも可能にする。
【発明の効果】
【０００６】  本発明により、吊下げ具に掛かる物の高さを自由に変えて差を生むことにより、物同士の接触を防ぎ、物の取り外しを容易に行うことができる。
【図面の簡単な説明】
【０００７】
【図１】本発明の吊下げ具の正面図である。
【図２】本発明の腕部の上面図である。
【図３】本発明の吊下げ具の使用状態を表す正面図である。
【発明を実施するための最良の形態】
【０００８】  本発明の実施形態を図１から図３に基づいて説明する。図１に示すように、自立した柱１の軸部１２に腕部１１が支持されている。その腕部１１に沿ってガイド部材２が取り付けられている。本実施形態のガイド部材２には、１つの長手状のものを採用する。【０００９】  本実施形態では、おもり１３１を柱１の下端部１３に取り付け、重心を低く配置し、片腕１１に物が集中して掛かった際にも、転倒を防止することができる。【００１０】  次に、このガイド部材２に線材４を支持する。本実施形態の線材４には、ワイヤーを採用し、ガイド部材２の上面に線材４をかけて支持する。この線材４の両端部にはフック５が取り付けられており、かつ、本体にはストッパー３が取り外し可能である。本実施形態のストッパー３には、線材４をバネでクリップ形式にはさみ込むものを採用する。【００１１】  本実施形態では、前記ガイド部材２の上面に凹部２１が設けられており、前記線材４をその部分に掛けることにより、ガイド部材２から外れにくくすることができる。また、物をフック５に掛ける際に揺れを軽減して安定させることができる。【００１２】  また、本実施形態では、前記フック５を幅のある形状にすることで、バックの持ち手等を掛けた際に、安定させることができ、取り外しも容易に行うことができる。【００１３】  そして、図２に示すように、前記ガイド部材２は前記腕部１１の側壁部１１１に取り付けることができる。腕部１１の側壁部１１１とガイド部材２の接続方法は、側壁部１１１に設けたガイド部材接続孔と接続用突起２２によって接続することができ、例えば、接続用突起２２によって側壁部１１１をはさみ込むことができる。【００１４】  また、腕部１１の底面１１２には線材孔１１２ａがある。前記線材４がこの線材孔１１２ａを通って垂れ下がっている。【００１５】  本実施形態では、前記柱１の腕部１１の底面１１２に設けられたストッパー３の三角形状の先端部位に対応するテーパ状の線材孔１１２ａによって、ストッパー３が線材４をクリップ形式にはさみ込み、そのストッパー３の先端部位が線材孔１１２ａに入ることにより、線材４がより強く締め付けられて固定することができる。【００１６】  また、本実施形態では、１つのストッパー３により、並行する２本の線材４に渡って２か所ではさみ込むことによって、１つのストッパー３につき１か所ではさみ込む場合よりも安定し、フック５の高さを位置決めしやすくすることができる。【００１７】  図３は、両腕部１１のそれぞれ１組のフック５に荷物を掛けた際に、荷物の高さに差が生まれていることを表している。フック５に物を掛けると一方が下がり、もう一方のフック５は上に上がって高さに差を生み出すことができる。前記ストッパー３が前記線材孔１１２ａに当たって止まることによってフックの高さを調整することができる。【００１８】  本発明は、これらの例によって何ら限定されるものではない。以下、本発明の実施変形例を更に説明する。【００１９】    ＜実施変形例１＞
腕部１１の本数は、重心を中心に位置させるための対称構造を保ったままであるならば２本に限定せず増やしてもよく、より多くの荷物を掛けられるようになる。【００２０】    ＜実施変形例２＞
腕部１１の側壁部１１１とガイド部材２の接続方法は、ガイド部材接続孔と接続用突起２２による接続のみに限定せず、例えば側壁部１１１の外側から釘を打ってガイド部材２を接続することもできる。【００２１】    ＜実施変形例３＞
ストッパー３の形状は線材孔１１２ａを通らなければよく、形状は限定しない。【００２２】    ＜実施変形例４＞
線材４をワイヤーなどの細長いものに限定せず、幅のあるベルト状の線材４でもよく、ガイド部材２の凹部２１やフック５の形状を変更することで対応できる。【００２３】    ＜実施変形例５＞
フック５の個数を１つの線材４につき２つ付いているものと限定せず、増やすことによってより多くの物を掛けることができる。【００２４】    ＜実施変形例６＞
フック５をＵ字状に限定せず、例えば棒状にしてハンガーをかけやすくしたり、平板上にして物をその上に置いたりすることができる。【００２５】    ＜実施変形例７＞
ガイド部材２を１つの長手状のものと限定せず、他の形状や複数個用いることもできる。【００２６】    ＜実施変形例８＞
柱１は床面と接触して自立しているものと限定せず、天井や壁面に取り付けられ、床のスペースを確保できない場所においても利用できる。【００２７】    ＜実施変形例９＞
線材４がガイド部材２の上面を通ると限定せず、ガイド部材２の壁面に、長手方向に貫通する孔を設け、そこに線材４を通すことで、線材４がガイド部材２から外れないようにすることができる。
【符号の説明】
【００２８】  １  柱
１１  腕部
１１１  側壁部
１１２  底面
１１２ａ  線材孔
１２  軸部
１３  下端部
１３１  おもり
２  ガイド部材
２１  凹部
２２  接続用突起
３  ストッパー
４  線材
５  フック
【要約】
【課題】  吊下げ具のフックの高さを自由に変えることにより、吊下げ具に掛かる物同士の接触を避け、物の取り外しを容易に行うことができるという優れた特徴を有する吊下げ具を提供すること。
【解決手段】  自立した柱の軸部に腕部が支持されており、その腕部に沿ってガイド部材が取り付けられており、
このガイド部材に線材を支持し、この線材の両端部にはフックが取り付けられており、かつ、線材の本体にはストッパーが取り外し可能であり、
前記ガイド部材は前記腕部１１の側壁部に取り付けることができ、腕部の底面には線材孔があり、前記線材がこの線材孔を通って垂れ下がっており、
前記フックに物を掛けると一方が下がり、もう一方のフックは上に上がって高さに差を生み出すことができ、前記ストッパーが前記線材孔に当たって止まることによってフックの高さを調整することも可能にする。
【選択図】図３【図１】
0006808865.tif 000002
【図２】
0006808865.tif 000003
【図３】
0006808865.tif 000004